(57)【要約】
【課題】接着工程なしに光ファイバを正確にフェルール体に位置決め固定して偏芯を減少させ、簡易な工程で光ファイバ接続部の光伝送特性を得る。
【解決手段】フランジ１、フェルール２、固定部材３，３とより構成し、フランジの一端にネジ固定係合部１２を形成すると共にその端面にテーパ面１３を設け、フランジの他端にフェルール接合部を設ける。フェルールをフランジの接合部内に結合し、フェルールの他端に同様のネジ固定係合部２２及びテーパ面２３を設ける。光ファイバーをフランジ及びフェルールに挿入し、その端面がフェルール端面に臨んだ位置で両固定部材をネジ締結して固定することにより、光ファイバーは固定係合部外周から締め付けられて、正確に位置決め固定される。
【選択図面】　図３
【実用新案登録請求の範囲】
【請求項１】
　フランジ、フェルール及び固定部材からなり、
　フランジは、中央部に光ファイバーを相通する穿孔を有し、フランジの一端に固定係合部を設けると共にその端部にテーパ面を形成し、フランジの他端にフェルールとの接合部を具え、
　フェルールは、中央部に上記穿孔に対応して通じる光ファイバーガイド孔を有し、一端を上記フランジの他端の接合部中に接合し、フェルールの他端に固定係合部を設けると共にその端面にテーパ面を設け、
　固定部材は、その一端内側に上述のテーパ面に対応するテーパ面を設けると共にその端面に光ファイバーを相通する孔を設けてなり、
上述のフランジとフェルールの固定係合部上にそれぞれ締結固定することにより、
その締結力によって光ファイバーを狭圧固定することを特徴とする光ファイバフェルール体改良構造。
【請求項２】
　フランジ及びフェルールの固定係合部上にねじ加工を施し、固定部材の内側に、固定係合部のねじに対応する内ねじ面を設け、固定部材をねじ固定の方法で固定係合部上に締結するようにしてなることを特徴とする請求項１記載の接着工程が無い光ファイバフェルール体改良構造。
【請求項３】
　固定部材は嵌合してフランジとフェルールの固定係合部上に固設するようにして成ることを特徴とする請求項1記載の接着工程が無い光ファイバフェルール体改良構造。
【考案の詳細な説明】
【技術分野】
【０００１】
　本考案は、接着工程を省き、光ファイバを正確にフランジ体に固定して偏芯現象を低下させることができ、製造工程が簡易で、良好な光ファイバの光特性が得られる接着工程が無い光ファイバフェルール体の改良構造に関する。
【背景技術】
【０００２】
　公知の光ファイバのフェルール体は、図７、８に示すように、フェルール６とフランジ６１から成り、フェルール６とフランジ６１の中央部に貫通孔６２を設けて光ファイバ７をフランジ６１の貫通孔６２から挿入し、光ファイバ７の一端のコア７１をフランジ６１の貫通孔６２から突き出させる。貫通孔６２に光ファイバ７とコア７１を挿入するため、貫通孔６２の内径は光ファイバ７及びコア７１の外径より大きく、そのため組立時には光ファイバ７とコア７１に接着剤６３を付けてから、コア７１を貫通孔６２内部に挿入し、接着剤６３で光ファイバ７とコア７１をフェルール体の貫通孔６２内に固定する。
【０００３】
　上述のフェルール体によって光ファイバ７とコア７１を貫通孔６２内に固定できるが、コア７１を固定する際に接着剤６３で固定するため、コア７１を貫通孔６２に挿入する時に接着剤６３が毛細管現象により貫通孔６２の一側壁に粘着するうえ、コア７１挿入時に圧迫されて接着剤６３に気泡が生じてしまう。気泡（空気）の膨張係数は固体より大きいため、コア７１が気泡に圧迫されてコア７１の位置に偏芯が起こったり、気泡に圧迫されて切れたりし、ひいては光の伝送特性が悪化してしまう。また、接着剤６３を付加する方法はその工程が複雑であり、且つ接着剤６３の使用は環境保護にも反しており、以上から公知のフェルール体は使用者の要求に適合できていない。
【考案の開示】
【考案が解決しようとする課題】
【０００４】
　本考案は、接着工程を省き、光ファイバを正確にフェルール体に固定し、偏芯現象を低下させることを主要な課題とする。また簡易な製造工程で良好な光ファイバの光特性を得ることをもう一つの課題とする。
【課題を解決するための手段】
【０００５】
　本考案は、接着工程が無い光ファイバフェルール体改良構造によって光ファイバを固定する。
　フランジの中央部に穿孔を設け、フランジの一端に固定係合部を設けてその端面をテーパ面とし、フランジの別の一端に接合部を設ける。フェルールを設け、フェルールの一端を上記の接合部内に接合し、フェルールの中央部に上述の穿孔に対応して通じるガイド孔を設ける。フェルールの別の一端に固定係合部を設けてその端面をテーパ面とする。固定部材を設けて、フランジとフェルールの固定係合部にそれぞれ固設する。固定部材内縁に上記固定係合部のテーパ面に対応するテーパ面を設け、固定部材の端面に孔を設ける。
【考案の効果】
【０００６】
　本考案の接着工程が無いフェルール体は、上述の構造により、光ファイバを正確にフェルール体内に固定して偏芯現象を減少させ、簡易な製造工程で光ファイバの良好な光特性を得られるという利点がある。
【考案を実施するための最良の形態】
【０００７】
　図１、２、３、４、５の立体斜視図、立体分解図、組立後の断面図、組立状態の立体外観図、本考案の応用状態略図に示すように、本考案は接着工程の無い光ファイバフェルール改良構造によって光ファイバを固定している。フランジ１、フェルール２及び固定部材３から成り、光ファイバ４を正確にフェルール体内に固定し、偏芯現象を減少させ、簡易な製造工程で光ファイバ４の良好な光特性を得るという目的を達成した。
【０００８】
　上述のフランジ１の中央部に穿孔１１を設け、フランジ１の一端に固定係合部１２を設けてその固定係合部１２上にねじ切り加工を施すことができる。またその端面にテーパ面１３を設け、フランジ１の別の一端に接合部１４を設ける。
　フェルール２の一端を上記フランジ１の別の一端の接合部１４内に接合し、フェルール２の中央部に上記穿孔１１に対応して通じるガイド孔２１を設ける。フェルール２の他端に固定係合部２２を設け、固定係合部２２上にねじ切り加工を施すことができる。その端面にはテーパ面２３を設ける。
　固定部材３は上記のフランジ１とフェルール２の固定係合部１２、２２上にそれぞれ固設でき、固定部材３の内縁に上記固定係合部１２、２２のテーパ面１３、２３に対応するテーパ面３２を設けるとともに、固定部材３の内側に固定係合部１２、２２上のねじ加工に対応する内ねじ面を設けて、固定部材３をねじ固定により固定係合部１２、２２上に固設する。また固定部材３の端面に孔３１を設ける。
　以上の構造により、接着工程が無い光ファイバフェルール体改良構造を構成する。
【０００９】
　　本考案で光ファイバ４を固定する際、必要に応じて光ファイバ４のクラッドを一部取り除いて適当な長さのコア４１を露出させ、光ファイバ４のコア４１部分をフランジ１中央の穿孔１１から挿入する。フェルール２のガイド孔２１はフランジ１の穿孔１１と連なって通じているため、光ファイバ４のコア４１部分は穿孔１１を突き抜けてガイド孔２１中に挿設され、光ファイバ４はフランジ１の穿孔１１内に設置される。その後固定部材３をねじによってフランジ１とフェルール２の固定係合部１２、２２上に固定する。固定部材３は、フランジ１とフェルール２の固定係合部１２、２２の末端まで固定されると、フランジ１とフェルール２端面のテーパ面１３、２３は、固定部材３の孔３１から一部露出し、固定部材３に設けた対応するテーパ面３２は、フランジ１とフェルール２端面のテーパ面１３、２３をきつく圧迫して穿孔１１とガイド孔２１をやや内部に圧縮する。これにより穿孔１１とガイド孔２１はそれぞれ光ファイバ４とコア４１に対して狭圧固定した状態を形成する。
【００１０】
　図５に示すように、本考案の組立完了後、各種光コネクタ５内に組込んで光コネクタとして製造することができる。
　以上のように、従来光ファイバ４とコア４１の固定に必要であった接着工程を省くことができ、且つ光ファイバ４とコア４１を正確にフェルール体内に固定してコア４１の偏芯現象を低下することができ、ひいては簡易な製造工程によってコア４１の良好な光特性が得られる。
【００１１】
　図６に本考案の別の実施例の組立後の断面図を示す。本考案は上述のねじ固定による組立のほか、フランジ１とフェルール２の固定係合部１２、２２にねじ加工をせずに嵌合する方法で、固定部材３ａをフランジ１ａとフェルール２ａの固定係合部１２ａ、２２ａ上にそれぞれ嵌合固定することもできる。このようにして光ファイバ４を固定することで、同様に光ファイバ４を正確にフェルール体内に固定し、偏芯現象が生じず、簡易な製造工程で光ファイバ４の良好な光特性を得ることができる。
【図面の簡単な説明】
【００１２】
【図１】本考案の立体外観図である。
【図２】本考案の立体分解図である。
【図３】本考案組立後の断面図である。
【図４】本考案の組立状態の立体外観図である。
【図５】本考案の応用状態の略図である。
【図６】本考案の別の実施例の組立後の断面図である。
【図７】公知のフェルール体の略図である。
【図８】公知のフェルール体の使用状態略図である。
【符号の説明】
【００１３】
１、１ａ    フランジ
１１        穿孔
１２、１２ａ      固定係合部
１３        テーパ面
１４        接合部
２、２ａ    フェルール
２１        ガイド孔
２２、２２ａ      固定係合部
２３        テーパ面
３、３ａ    固定部材
３１        孔
３２        対応するテーパ面
４          光ファイバ
４１        コア
５          コネクタハウジング
６          フェルール
６１        フランジ
６２        貫通孔
６３        接着剤
７          光ファイバ
７１        コア
【図１】
0003100130.tif 000002
【図２】
0003100130.tif 000003
【図３】
0003100130.tif 000004
【図４】
0003100130.tif 000005
【図５】
0003100130.tif 000006
【図６】
0003100130.tif 000007
【図７】
0003100130.tif 000008
【図８】
0003100130.tif 000009